(57)【要約】【課題】  従来の漕艇競技におけるスタート方法は、スタートライン後方に固定構築物より移動桟橋を設けウオーターマン（保持者）が艇尾を捕え、スタートの号令と同時にウオーターマンが捕まえていた手を離すと同時に競技艇が漕ぎ始める方法であった。スタート保持員が３艇レースなら３人、８艇レースなら８人必要であった。交代要員を含めると多数の人員が必要となる。又艇尾を捕まえていても風又は波の影響により競技艇の艇首が左右に振られゴールに向かって真直にスタート体勢を保持する事が難しかった。【解決手段】  競技艇が左右に振られる事なくゴール方向へ向って静止出来る発艇台を考案した。ウオーターマン（保持員）の必要性を無くす発艇装置を考案した。発艇台は収納時とトラック等で積載、移動を考え折たたみ式・連結式とした。離れた場所から操作出来る様に遠隔操作式とした。これより漕艇競技におけるスタートがスムーズに行え、操作、移動収納が容易になった。【選択図】  図１
2005177419.tif 000002
【特許請求の範囲】
【請求項１】
折たたみ・連結式漕艇競技用発艇台。
【請求項２】
請求項１記載に取付ける遠隔操作式漕艇競技用発艇装置。
【発明の詳細な説明】
【技術分野】
【０００１】    本発明は、漕艇競技のスタートに関する。【０００２】    従来の漕艇競技のスタートは競技艇のスタートラインを揃えるのに固定構築物より移動桟橋を設け、ウオーターマン（保持員）が艇尾を捕え、スタートの号令と同時に競技艇が漕ぎ始めるのと、捕えていた手を離す方法であった。【０００３】    スタート保持員が３艇レースなら３人、８艇レースなら８人となり競技艇の数だけ必要であり交代要員を含めると多類の人員が必要となる。【０００４】    各艇のスタート体勢と調えるのに、風又は波の影響により艇首が左右へ振られゴール方向へ向って真直にスタート体勢を保持する事が難しいウオーターマン（保持者）が艇尾を捕まえていても競技艇のスタート体勢を保持する事は難しい。【０００５】    スタートラインに競技艇の艇首を揃えるのに発艇台と発艇装置が必要であった。【０００６】    今まで必要性を感じながらも漕艇竸技用発艇台と発艇装置が無かった。
【発明の開示】
【発明が解決しようとする課題】
【０００７】    以上に述べた従来の漕艇竸技のスタート方法ではスタート要員が多数必要となり、又竸技艇はゴールへ向ってのスタート体勢を風波の影響で真直に保持出来なかった。【０００８】    本発明は，このような従来の方法が有していた問題を解決しようとするものであり、風、波の影響もなく、ウオーターマンを必要とせず、競漕スタートを円滑に実現する事を目的とするものである。
【課題を解決するための手段】
【０００９】    そして、本発明は上記目的を達成する為の発艇台と発艇装置である。【００１０】    発艇台は折たたみ連結式で浮桟と強靭枠と緩衝車輪と固定用筋交とで構成されている。発艇装置は遮断装置と巻上装置と離隔装置と操作装置とで構成されている。【００１１】    発艇台は折たたみ式で連結式である為、使用後折たたみ、遠方へ移動する時もトラック等に容易に積載出来、倉庫等に収納する場合も場所を取らない。【００１２】    上記課題解決手段による作用は次の通りである。すなわち、竸技艇が前方あるいは後方より、スタートライン手前に設置された発艇台の中へ進入する。この時点で競技艇は風、波の影響を受けず、ゴール方向へ向って真直に、艇首を左右へ振られる事なく静止する事が出来るこの後遠隔操作スイッチで巻上装置を作動させ、発艇台前部に取つけた遮断装置のゲートを水中より上昇させ竸技艇の進路を遮断し、かつスタートラインを設定する。競技艇はこの位置をスタートラインとし艇首をこの位置に合せスタートの号令を待つ。ゲートの上昇はワイヤーで巻上装置により巻取られる。ワイヤーの途中に取つけた連結プレートの穴に離隔装置のフックがかみ合う。この時点で巻上装置のスイッチと巻上ドラムの切放しフックがワイヤーに取付けられたブッシュの衝撃で外れ巻上ドラムのクラッチが駆動モータより外れる仕組みである。ゲートの重量で巻上ドラムに負荷が掛っていたものが今度は離隔装置のフックでゲートの重量を保持する様になる。スタートの号令で遠隔操作スイッチ作動すれば離隔装置のフックが外れ、ゲートの重みでワイヤーが巻戻されゲートは水中へ降下する。競技艇はゴールへ向かって競漕を開始する。
競漕艇がスタートの号令前にフライングした場合、ゲートを突き進み、損傷されるおそれがあるが、蝶番とゴムひもで追突を緩衝する構造をゲートに設けてある。
【発明の効果】
【００１３】    上述したように、本発明の漕艇競技用発艇台は風波の影響も受けず、競技艇をゴール方向へ向って真直に静止させ保持要員もなく競漕をスタートさせる事が出来る。【００１４】    遠隔操作である為審判員１人で操作出来るものである。
【発明を実施する為の最良の形態】
【００１５】    以下、本発明の実施の形態を図１〜図５に基づいて説明する。
【００１６】    図において、１浮桟は浮力のある材質（木材等）を使用し、２本１組で数ヶ所強靭枠を差込む為の穴をあけ、２強靭枠に差し込む。強靭枠は左右から２２係留金具に取付けられたロープで引張られて変形しない様に補強されたものであり上部に長ネジを溶接してある。差し込まれた強靭枠の上より竸技艇を傷つけない為の緩衝車輪をはめ込みナットで止める。４の固定用筋交を強靭枠下部にロープかクリップで固定すれば発艇台は使用状態となり筋交をはずせば折たたみが出来る。同様の装置で浮桟に取り付けた２７接続板で２連又は３連と接続して使用する事が出来る。
【００１７】    遮断装置の取り付はゲート前部が浮桟のすこし前に位置する様に後部を１浮桟上面に２８サドルバンドで取り付ける。これで５遮断装置本体の１０ゲートは取付箇所を中心に扇状に上下する事が出来る。６遮断装置つり上げ部により１０ゲートは１１ワイヤーで釣上げられる。ゲートの釣り上げは左右のアームを同時に上げる為に図３様に右アームを戸車を使用したローラを使い一度２強靭枠に添って左アーム近くまで１１ワイヤーを引張り、左アーム釣上げワイヤーと並行して釣上げ、両ワイヤーを途中で接続し巻上げ装置へ導く戸車を使用したワイヤーローラは１個で９０°あるいは１８０°とワイヤーの引張方向を変えると負荷が大きいので３個で９０°変化させ、５個で１８０°変化させ負荷を減少させた。
【００１８】    遠隔操作装置の２１スイッチを入にすれば、巻上装置のモーターが作動し３２巻上ドラムがワイヤーを巻取ってゆく。
【００１９】    ワイヤーの途中に取付けた１２連結プレートは１３ガイドレールの中を通りプレートの穴が離隔装置の１４連結プレート掛けフックに噛み合う。この位置に巻上モーターが停止する様にワイヤーに取付けた１５巻上スイッチ切用スリーブが１７巻上ドラム停止フックを押込み１８巻上ドラムのクラッチが外れ同時にモータースイッチ１９も切れる。巻上ドラムのクラッチが外れる事によりワイヤーの引張荷重は１７巻上げドラムから８離隔装置の１４切放しフックに受継がれる。スタート用意の状態が整う。
【００２０】    審判員のスタートの号令で２１遠隔操作送信部のスイッチを作動させる。
【００２１】    離隔装置の１４掛フックは離隔装置モーターに取付けられたカムで押下げられる仕組みになっており遠隔操作装置の２１作動スイッチにより作動し１４掛フックと１２連結プレートは切放される。ワイヤーは１１ゲートの重みで巻戻され１０ゲートは水中へ降下してゆく。
【００２２】    競技艇はゴールへ向って漕ぎ出される。
【００２３】    巻戻されたワイヤーに取付けた１６巻上スイッチ入用スリーブにより１７巻上ドラム停止フックを巻戻方向に押込み、１８巻上ドラムのクラッチが接続され同時にモータースイッチも接続される。最初の状態にもどり再使用が可能な状態になる。
【００２４】    ７巻上装置は４．５Ｖ使用の２３小型モーターギヤセット２台で５ｋｇの巻上げ力を出し、２４  １．５Ｖ電池６個を直列に接続して使用。
【００２５】    ８離隔装置は３Ｖ使用の２５小型モーターギヤーセット１台で２６  １．５Ｖ電池２個を直列に接続して使用。
【００２６】    ９遠隔操作装置は２１送信部に１．５Ｖ電池２本を直列に接続して使用し受信部は９Ｖ電池１個を使用する赤外線リモコンを使用した。
【００２７】    有線で使用する場合は作動電源及び操作電源は発艇台に取付ける必要はなく、操作する者が手もとでもっと高い電圧を使用出来、巻上力５ｋｇ以上の高出力のモーターを使用出来る事により性能向上が可能である。
【図面の簡単な説明】
【図１】本発明の実施形態を示す漕艇競技用発艇台の斜視図
【図２】同発艇台に取付ける発艇装置の遮断装置本体の斜視図
【図３】同発艇装置の遮断装置釣上げ部分の斜視図
【図４】同発艇装置の離隔装置，巻上装置，操作装置，電池部分の平面図
【図５】本発明の使用図
【符号の説明】
１  浮桟
２  強靭枠
３  緩衝車輪
４  固定筋交
５  遮断装置本体
６  遮断装置釣上げ部分
７  巻上装置
８  離隔装置
９  操作装置
１０  遮断装置ゲート部分
１１  ワイヤー
１２  連結プレート
１３  ガイドレール
１４  連結プレート掛フック
１５  巻上スイッチ切用スリーブ
１６  巻上スイッチ入用スリーブ
１７  巻上ドラム停止フック
１８  巻上ドラムクラッチ
１９  巻上モータースイッチ
２０  カム
２１  操作装置送信部
２２  係留金具
２３  巻上用小型モーターギヤセット
２４  巻上用電源（１．５Ｖ電池６本）
２５  離隔用小型モーターギヤセット
２６  離隔用電源（１．５Ｖ電池２本）
２７  接続板
２８  サドルバンド
２９  蝶番
３０  引張ゴム
３１  操作用電源（９Ｖ電池１本）
３２  巻上ドラム
【図１】
2005177419.tif 000003
【図２】
2005177419.tif 000004
【図３】
2005177419.tif 000005
【図４】
2005177419.tif 000006
【図５】
2005177419.tif 000007